(57)【要約】【課題】  従来技術としては、イヤホンを手で巻き取りや収納を行うためコードがねじれて収納されてしまったり、何度もイヤホンの出し入れを行ううちに、接触不良やショートするという問題があった。また、リール型のイヤホン収納器では、収納器両端からコードを引き出すタイプのため、誤って片側だけを引っ張り出したりすると、コードが絡まったりして接触不良や断線の原因にもつながるという問題がある。【解決手段】  コード巻き取り機構３を備えたイヤホン本体８を、開口部と開口部を閉塞する蓋５を備えた収納袋１に入れ、コード巻き取り機構３が収納袋１から出ないように圧着固定し、収納袋１内で圧着固定部４の上側に機器接続コード６とイヤホン２を収納できる収納袋一体型イヤホン。【選択図】図１
2012029118.tif 000002
【特許請求の範囲】
【請求項１】
コード巻き取り機構を備えたイヤホン本体を、開口部と開口部を閉塞する蓋を備えた収納袋に入れ、コード巻き取り機構が収納袋から出ないように圧着固定し、収納袋内で圧着固定部の上側に機器接続コードとイヤホンを収納できることを特徴とする収納袋一体型イヤホン。
【請求項２】
前記コード巻き取り機構は、片側だけのコードが引き出せる片側出しであることを特徴とする収納袋一体型イヤホン。
【発明の詳細な説明】
【技術分野】
【０００１】
本発明は、携帯用電子機器等に使用するイヤホンが収納されて一体となす収納袋一体型イヤホンに関するものである。
【背景技術】
【０００２】
従来技術としては、コード付きイヤホンを利用するポケットタイプ機器の携帯用収納ケースであって、機器の挿入口を有すると共に収納ケースの正面又は背面にイヤホンコードの巻き付け収納部を形成してある収納ケース（例えば、特許文献１参照）や、内部に携帯用電子機器及びその付属品を収納可能な本体と、その本体の開口を開閉自在な蓋と、前記本体内部に設けられた突起部分とを有し、その突起部分は前記携帯用電子機器の外周部に当接可能に設けられ、前記突起部分の外側には前記携帯用電子機器の付属品を前記突起部分及び携帯用電子機器の周囲に巻回させて収納可能な空間が設けられている携帯用電子機器保護収納ケース（例えば、特許文献２参照）が存在している。
【先行技術文献】
【特許文献】
【０００３】
【特許文献１】登録実用新案第３１１３４６５号公報（実用新案登録請求の範囲の欄、考案の詳細な説明の欄、及び図１〜図５を参照）
【特許文献２】特開２００６−２３９０９９号公報（特許請求の範囲の欄、発明の詳細な説明の欄、及び図１〜図７を参照）
【発明の概要】
【発明が解決しようとする課題】
【０００４】
前記従来技術の登録実用新案第３１１３４６５号公報や特開２００６−２３９０９９号公報に示されたイヤホン収納ケースでは、イヤホン本体を収納して移動する際に、かばん内等でイヤホンコードの絡みを防止するためや、イヤホンの損傷を防止するために収納ケースを採用しているが、手で巻き取りや収納を行うためコードがねじれて収納されてしまったり、何度もイヤホンの出し入れを行ううちに、接触不良やショートするという問題があった。それを解決するために、ワンアクションで巻き取りを行えるリール型のイヤホン収納器が存在している。しかしながら、前記従来技術は、収納器両端からコードを引き出すタイプのため、誤って片側だけを引っ張り出したりすると、コードが絡まったりして接触不良や断線の原因にもつながるという問題がある。
本発明は、上記課題を解決したものであって、コードの絡みやイヤホンの損傷を防止する収納袋一体型イヤホンを提供するものである。
【課題を解決するための手段】
【０００５】
上記の目的を達成することができる本発明の第１発明は、請求項１に記載された通りの収納袋一体型イヤホンであり、次のようなものである。
コード巻き取り機構を備えたイヤホン本体を、開口部と開口部を閉塞する蓋を備えた収納袋に入れ、コード巻き取り機構が収納袋から出ないように圧着固定し、収納袋内で圧着固定部の上側に機器接続コードとイヤホンを収納できる構成である。
【０００６】
上記の目的を達成することができる本発明の第２発明は、請求項２に記載された通りの収納袋一体型イヤホンであり、次のようなものである。
請求項１に記載された発明に加えて、前記コード巻き取り機構は、片側だけのコードが引き出せる片側出しである構成である。
【発明の効果】
【０００７】
本発明に係る収納袋一体型イヤホンは、上記説明のような構成を有するので、以下に記載する効果を奏する。
（１）収納袋でイヤホン全体を覆うことで、収納袋内で巻き取り機構に巻き取られたコードが固定され、ポケットやかばん等にイヤホン単体で収納するようよりも、コード等の断線が生じにくくなり、故障率の低下に繋げることができる。また、収納袋でイヤホン全体を覆うことで、かばんの中でも見つけやすくなり、コード全てが収納袋に隠すことができるため、かばんの中でコードが絡まなくなる。
（２）収納袋一体型のデザインのため、かばんやポケット等への収納時にイヤホンが汚れることを防ぐことができる。
（３）これまでのイヤホンはイヤホン本体部分でデザインをしていたが、イヤホン本体が小さい商品のため、デザインの可能性に限界があった。しかし、収納袋でイヤホン全体を覆うことで、収納袋の広い平面部分を利用し、様々なデザインを表現することができる。
例えば、企業や店舗、商品の販促用として利用することや、スワロフスキーやビーズ等を使って使用者独自のデザインを施すこともできる。
（４）収納袋の生地をビニールや綿等に変更することで、様々な種類のデザインを表現することが容易である。例えば、着物に合わせた生地で収納袋を作成することによって、和服にあった収納袋一体型イヤホンとすることなどができる。
（５）従来のイヤホンではコードをゴチャゴチャに収納して効率が悪かったが、収納袋内にコード巻き取り機構が飛び出ないように開口部を一部圧着固定することで、コードが収納袋内に綺麗に収納することができる。
（６）本発明が採用した片側出しの巻き取り機構は自動的（ワンアクション）でコードを巻き戻す機能があるため、収納袋の蓋を閉じたままコードを巻き取ることも可能である。
（７）収納袋の背面部分にフックやバンドを追加することにより、リストバンドやベルトに装着することも可能である。
（８）収納袋の蓋を閉めれば、コンパクトに収納することができ、携帯性に優れている。
（９）収納袋の蓋の横からイヤホンや機器接続コードを出して使用することができるため、イヤホン本体部やコードが汚れるのを最小限にすることができる。
（１０）私有脳袋の背面部分にフックやバンドを取り付けることによって、ポータブルプレーヤー等と一体化することができる。
【図面の簡単な説明】
【０００８】
【図１】本発明の一実施例である収納袋一体型イヤホンを示す概略斜視図である。
【図２】本発明の収納袋一体型イヤホンのサイズを説明する上での一例を示す概略斜視図である。
【図３】本発明の一実施例である収納袋一体型イヤホンの取り出し状態を説明する概略説明図である。
【図４】本発明の収納袋一体型イヤホンにデザインを施した一例を示す概略斜視図である。
【図５】本発明の収納袋一体型イヤホンの生地や材質を変えた一例を示す概略斜視図である。
【図６】本発明の収納袋一体型イヤホンにバンドやフックを取り付けた一例を示す概略説明図である。
【図７】本発明に収納袋一体型イヤホンの他の実施例として、収納袋の形状を変えた一例を示す概略説明図である。
【図８】本発明に収納袋一体型イヤホンの収納袋の形状を変えた他の一例を示す概略説明図である。
【発明を実施するための形態】
【０００９】
片側だけのコードが引き出せる片側出しのリール型コード巻き取り機構を備えたイヤホン本体を、開口部と開口部を閉塞する蓋を備えた収納袋に入れ、コード巻き取り機構が収納袋から出ないように圧着固定し、収納袋内で圧着固定部の上側に機器接続コードとイヤホンを収納できる収納袋一体型イヤホンである。
【実施例】
【００１０】
以下、本発明の一実施例を添付図面で詳細に説明する。
本発明は、図１に示すように、例えばリール型のコード巻き取り機構３をポーチ（以下、収納袋１という）に収納し、一体化したものである。
この収納袋１は、イヤホン使用時に、コード巻き取り機構３が収納袋１から出てしまわないように、圧着固定部４を収納袋１の開口部近傍の両側部に設けている。
これによって、イヤホン使用時はもちろん、イヤホン取り出し時やイヤホン収納時にもコード巻き取り機構３が外部に飛び出すことがない。
従って、イヤホン本体８の外に出る部分を最小限にすることができ、イヤホン本体８のコード部の断線や汚れによる故障を防ぐことができ、常に最良の音を使用者に提供することができるものである。
また、図２からも理解できるように、本発明の収納袋一体型イヤホンは片手で持てるほどのサイズであり、収納袋１の蓋５を閉めれば、イヤホン２、コード巻き取り機構３、機器接続コード６をコンパクトに収納することができ、携帯性に優れている。
【００１１】
また、本発明の収納袋一体型イヤホン使用時には、図３のように収納袋１に設けられた蓋５を開けて、機器接続コード６を取り出してポータブルプレーヤー等につなぎ、イヤホン２を使用者の利用しやすい長さまで伸ばして使用するものである。
この際も、コード巻き取り機構３は収納袋１の圧着固定部４によって固定されているため、外に飛び出してしまうこともなく、さらにコード巻き取り機構３が固定されているため、イヤホン２や機器接続コード６を同時に引っ張り出さなくても引き出しがスムーズに行うことができる。
また、収納時には、ワンアクション（例えば、コード巻き取り機構に設けられたボタンを押す等）でイヤホン２、機器接続コード６を巻き取ることができる。さらに、本発明の収納袋１は、収納部と蓋５の間に空間を設けているので、蓋５を閉めた状態であってもイヤホン２、機器接続コード６を巻き取ることが可能である。
【００１２】
さらに、本発明の収納袋一体型イヤホンは、図４〜図８からも理解できるように、イヤホン２本体部分だけのデザインだけでなく、収納袋１がイヤホン本体８と一体のため、収納袋１の広い平面部分を利用し、様々なデザインを表現することができる（図４参照）。また、収納袋１の生地や材質を変える（例えば、布や皮革や透明ビニール等）ことによって、さまざまなシーンに合わせた収納袋一体型イヤホンを提供することができる（図５参照）。さらに、収納袋１の裏面にフック、バンド７を設けることで、ベルトに通したり、腕に巻き付けたり、ポータブルプレーヤー等と一体化させたり、携帯性を向上させることができる（図６参照）。
また、図７、図８のように、収納袋１自体の形状を変えて、よりデザイン的に表現することも可能である。
このように、本発明の収納袋一体型イヤホンは、使用者のニーズに合わせた利用ができるものである。
【００１３】
なお、本発明の収納袋一体型イヤホンでは、各図面からも理解できるように折り曲げて覆う形の蓋５を採用している。この蓋５の形状は、きんちゃく型も考えられるが、きんちゃくを採用した場合、蓋を閉める際に、イヤホン本体８のコード機器接続コード６が重なり合い、接触してしまうため、何度も開閉動作をしているうちに、断線の可能性が高くなるため、きんちゃく型ではなく、折り曲げて覆う形の蓋５を採用したものである。
また、図面では、図１のように、圧着固定部４と圧着固定部４の間をイヤホン２や機器接続コード６を通しているが、圧着固定部４と収納袋１の側部の間の狭い空間にイヤホン２や機器接続コード６を通しておくことで、コードの取り出し・収納時の案内となり、よりスムーズにコードを収納することも可能である。
【産業上の利用可能性】
【００１４】
企業・店舗・商品の販促用商品として利用することができる。
【符号の説明】
【００１５】
１・・・・収納袋
２・・・・イヤホン
３・・・・コード巻き取り機構
４・・・・圧着固定部
５・・・・蓋
６・・・・機器接続コード
７・・・・フック、バンド
８・・・・イヤホン本体
【図１】
2012029118.tif 000003
【図２】
2012029118.tif 000004
【図３】
2012029118.tif 000005
【図４】
2012029118.tif 000006
【図５】
2012029118.tif 000007
【図６】
2012029118.tif 000008
【図７】
2012029118.tif 000009
【図８】
2012029118.tif 000010